(57)【要約】【課題】階段や狭い通路においても安定して使用可能、かつ、要介護者を運搬中であっても介護人は手の自由がきき、また、担架上への乗せ降ろしの作業の容易性を追求した担架を提供するものである。【解決手段】重病人、負傷者、身体障害者等の要介護者を運搬する担架１であって、左右一対の支持杆１１・１１と、該左右一対の支持杆１１・１１の間に懸けられる前後一対の連結杆１２・１２で構成されるフレーム構造２と、該フレーム構造２に弛ませた状態で保持した寝台布３と、で構成し、前記フレーム構造２を連結部１５において連結・解除可能に構成した。【選択図】        図２
2004267291.tif 000002
【特許請求の範囲】
【請求項１】
重病人、負傷者、身体障害者等の要介護者を運搬する担架であって、四本の杆体で枠状に構成されるフレーム構造と、該フレーム構造に弛ませた状態で保持した寝台布と、で構成した担架。
【請求項２】
前記フレーム構造は、左右一対の支持杆と、該左右一対の支持杆の間に懸けられる前後一対の連結杆と、を連結してなることを特徴する請求項１に記載の担架。
【請求項３】
支持杆と連結杆との連結部を連結・解除可能に構成したことを特徴とする請求項１、または、請求項２に記載の担架。
【請求項４】
前記支持杆と連結杆との連結部は、支持杆の両端側上下に突出した進退可能な突起を、連結杆の両端側上下に貫通した孔に嵌合することで連結可能とし、上側の突起と下側の突起とはそれぞれ別体として機能する構成としたことを特徴とする請求項１乃至請求項３のいずれか一項に記載の担架。
【請求項５】
支持杆と連結杆に滑り止め握手部を設けたことを特徴とする請求項１乃至請求項３のいずれか一項に記載の担架。
【請求項６】
連結杆の両端部からリング状のフックを設けて、該フックに着脱自在に肩ベルトを設けたことを特徴とする請求項１乃至請求項４のいずれか一項に記載の担架。
【請求項７】
前記寝台布に、上部側保持部と下部側保持部とに分割可能なＹ字状のタスキを着設したことを特徴とする請求項１乃至請求項５のいずれか一項に記載の担架。
【請求項８】
前記寝台布の頭部側に着脱自在な枕を設けたことを特徴とする請求項１乃至請求項６のいずれか一項に記載の担架。
【請求項９】
請求項１乃至請求項７のいずれか一項に記載の担架において、フレーム構造の下部側に折り畳み可能なキャスターを設けたことを特徴とする担架。
【発明の詳細な説明】
【０００１】
【発明の属する技術分野】
本発明は、重病人、負傷者、身体障害者等の要介護者を移送するための担架（運搬具）の技術に関する。
【０００２】
【従来の技術】
従来から、負傷した人や病人や身体障害者や身体の不自由な老人等の要介護者を移送する際には、担架等の運搬具が使用される。このような担架等の運搬具においては、一般的に、左右一対の支持杆にて寝台布を支持して寝台布上に要介護者を載せ、介護人は支持杆の両端側を持って運搬するようにしている。
そして、従来技術において、左右一対の支持杆を相互に連結する連結杆を設けるとともに、この連結杆を介して一対の支持杆の間に屈曲可能な寝台布を保持し、寝台布の屈曲状態を保持するための寝台板保持機構を設けた担架が公開されている（特許文献１参照。）。
また、従来では、担架への乗せ降ろしが要介護者に悪影響を与えず、多人数の介護人等を要しないで容易に乗せ降ろしができ、床やベッド等の他の位置に移動させる場合に、担架を持上げることなく横へスライドすることにより、容易に無理なく安全に移動することができる技術も公開されているものである（特許文献２参照。）。
【０００３】
【特許文献１】
実登３０１６７３０号公報
【特許文献２】
特開平７−３１３５５３号公報
【０００４】
【発明が解決しようとする課題】
しかしながら、上記のような従来の担架においては、寝台布が内側に引っ張られて、支持杆も内側に引き込まれることがあり運搬し難く、また、階段等では使用することができず、要介護者を担架上から降ろし、介護人が負ぶって運ぶようにしていた。このため、動かすことが困難な重症者を運搬する際には不便であり、運搬される要介護者の安全性に問題があるものであった。
また、担架を支えていると介護人は手の自由が利かず、扉の開閉等の作業を行う際に一旦担架を下ろす必要があり、急患の場合等、そのような時間ロスを可能な限りなくしたいものである。
また、例えば、特許文献１においては、移送の利便性は考慮されているものの、要介護者の乗降に関する利便性等は考慮されていないものである。
以上のような課題を鑑みて、本発明においては、階段や狭い通路においても安定して使用可能、かつ、要介護者を運搬中であっても介護人は手の自由がきく運搬具を提供するものである。
【０００５】
【課題を解決するための手段】
本発明の解決しようとする課題は以上の如くであり、次にこの課題を解決するための手段を説明する。
【０００６】
即ち、請求項１においては、重病人、負傷者、身体障害者等の要介護者を運搬する担架であって、四本の杆体で枠状に構成されるフレーム構造と、該フレーム構造に弛ませた状態で保持した寝台布と、で構成したものである。
【０００７】
請求項２においては、前記フレーム構造は、左右一対の支持杆と、該左右一対の支持杆の間に懸けられる前後一対の連結杆と、を連結してなるものである。
【０００８】
請求項３においては、支持杆と連結杆との連結部を連結・解除可能に構成したものである。
【０００９】
請求項４においては、前記支持杆と連結杆との連結部は、支持杆の両端側上下に突出した進退可能な突起を、連結杆の両端側上下に貫通した孔に嵌合することで連結可能とし、上側の突起と下側の突起とはそれぞれ別体として機能する構成としたものである。
【００１０】
請求項５においては、支持杆と連結杆に滑り止め握手部を設けたものである。
【００１１】
請求項６においては、連結杆の両端部からリング状のフックを設けて、該フックに着脱自在に肩ベルトを設けたものである。
【００１２】
請求項７においては、前記寝台布に、上部側保持部と下部側保持部とに分割可能なＹ字状のタスキを着設したものである。
【００１３】
請求項８においては、前記寝台布の頭部側に着脱自在な枕を設けたものである。
【００１４】
請求項９においては、フレーム構造の下部側に折り畳み可能なキャスターを設けたものである。
【００１５】
【発明の実施の形態】
次に、発明の実施の形態を説明する。
図１は本発明の一実施形態である担架の全体的な構成を示す斜視図、図２は同じく正面図、図３は同じく側面図、図４は同じく平面図、図５は枕の構成を示す斜視図であり（ａ）は通常枕、（ｂ）は首固定用枕である。図６は支持杆の両端部の構成を示す平面、及び、側面図、図７は連結杆の両端部の構成を示す平面、及び、側面図、図８は支持杆の端部の内部構成を示す断面図、図９はキャスター付担架の構成を示す斜視図、図１０は収納ケースの構成を示す斜視図である。
【００１６】
まず、本発明の担架の全体的な構成について説明する。
図１乃至図４に示すように、担架１はアルミ等のパイプ部材で構成されるフレーム構造２と、該フレーム構造２に支持される寝台布３と、フレーム構造２に取り付けられる肩ベルト４と、寝台布に一体的に取り付けられるＹ字状タスキ５と、から構成されている。
【００１７】
フレーム構造２は、左右一対の支持杆１１・１１と、左右の支持杆１１・１１に渡って懸架される前後一対の連結杆１２・１２と、から枠状に構成されている。前記支持杆１１・１１と連結杆１２・１２とはそれぞれ、円筒状のアルミ部材にて成形しており、担架本体１を可能な限り軽量化できるようにしている。
また、前記支持杆１１と連結杆１２との連結部１５はワンタッチ式で分解可能としており、該連結部１５を分解することで要介護者の乗降を容易に行うことができるようにしている。連結部１５の構成について詳しくは後述するものとする。
【００１８】
前記連結杆１２の両端部からはリング状の係止体１３が突出しており、該係止体１３には着脱自在に肩ベルト４の端部が取り付けられる。該肩ベルト４は、ベルト部１８に肩パット１９を固定して、ベルト部１８の先端部には三角カン２４を介してスナップフック１７を取り付けて構成されている。ベルト部１８は長さ調節機構２６を設けてベルト長を変更可能としている。
【００１９】
寝台布３は、前記フレーム構造２に着脱自在に取り付けられている。寝台布３はフレーム構造２に対して下方に弛ませた構成としており、要介護者を座らせるように担架上に乗せるものである。また、寝台布３には、一対の支持杆１１・１１を通す支持杆カバー２１・２１と、一対の連結杆１２・１２を通す連結杆カバー２２・２２とを備えており、これらのカバー２１・２２はそれぞれ寝台布３に縫着された固定布３５・３５・・・にて寝台布３に一体的に固定されている。該カバー２１・２２は弾力性を持たせて人体との当たりを緩衝するようにしている。
【００２０】
支持杆カバー２１・２１と、連結杆カバー２２・２２にはそれぞれ滑り止めテープ３７・３７・・・が巻回されており、介護人はこの滑り止めテープ３７を滑り止め握手部として握持し、要介護者を運搬するようにするものである。なお、前記滑り止めテープ３７は支持杆１１の両端側、連結杆１２の両端側にそれぞれ設けられており、通常は前後に二人の介護人で運搬するものであるが、左右から担架を支持することも可能であり、広い通路であれば四人で運搬して介護人一人あたりの負担を軽減することもできる。
【００２１】
また、寝台布３の上部側には面ファスナー３８が貼設されており、該面ファスナー３８には着脱自在に枕３２が取り付けられ、必要に応じて取りはずし可能としている。（要介護者を寝台布に載せた際に頭部側を上部、足元側を下部としているものである。）
枕３２は図５（ａ）に示すように、通常、頭部側から足元側にかけて低くなる傾斜面３２ａを有するものを取り付けているが、要介護者の頭部を動かすことができない場合には、図５（ｂ）に示すような首固定用枕３３に着けかえることで要介護者の頭部を固定することもできる。首固定用枕３３には首が嵌るように半円形の凹面３３ａを形成しており、該凹面３３ａに要介護者の首を収めて固定するものである。
通常の枕３２と首固定用枕３３の底面にはそれぞれ面ファスナーが貼設され、寝台布３に貼設された面ファスナー３８に合致させて取りつけるようにしている。また、このような枕３２はスポンジ等の弾性体をビニール等のカバーで被包して構成されているものである。
【００２２】
また、寝台布３の上部両側から下部左右中央側にかけて、Ｙ字状タスキ５の端部が縫着されており、該Ｙ字状タスキ５の上部側２７の中央部と下部側２８の上端とはワンタッチ係止具２９等で簡単に連結・解除可能としている。Ｙ字状タスキ５の上部側２７端部は、寝台布３の上端部に縫着されて一体的に取り付けられて、Ｕ字状の胸当てを形成しており、Ｙ字状タスキ５の下部側２８は股の間を通すようにして、上部側２７と下部側２８とを連結することで、寝台布３上に載せる要介護者を確実に保持できるようにしている。
【００２３】
次に、前述した支持杆１１・１１と連結杆１２・１２との連結部１５の構成について図６乃至図８により説明する。図６、図７の中央部から右側は平面視、左側は側面視としている。
図６、図７に示すように、支持杆１１の両端部には進退可能な突起２３を設けており、連結杆１２の両端部にはパイプ状の支持杆固定具３０が設けられ、該支持杆固定具３０に前記突起２３の形状に合わせた孔３０ｂが突起２３に対応して穿孔されている。前記突起２３は支持杆１１の上下に設けられており、上部側の二つの突起２３ａ・２３ｂが連動して、下部側の二つの突起２３ｃ・２３ｄが連動するように構成している。
【００２４】
図８に示すように、支持杆１１両端部の内部には断面視において略「コ」字状の板バネ３１を内設しており、該板バネ３１の上部側と下部側にそれぞれ二個ずつ突起を立設している。そして、上部側の一方の突起２３ａを支持杆１１内部方向に押圧すると、上部側の他方の突起２３ｂも連動して支持杆１１内部方向へ押し込まれるようにしている。また、下部側の突起２３ｃ・２３ｄも上部側の突起２３ａ・２３ｂと同様に、互いに連動しており、一方の突起２３ｃを押圧すると他方の突起２３ｄも押し込まれるように構成しているものである。なお、上部側の突起２３ａ・２３ｂと下部側の突起２３ｃ・２３ｄとは連動することなく、別体として機能するものである。
【００２５】
また、連結杆１２の両端部には支持杆固定具３０・３０を固設しており、該支持杆固定具３０は正面視において、中央部に円形の空間部３０ａを形成しており、該空間部３０ａの上下に前記空間部３０ａと連通し、上下に貫通する孔３０ｂを穿孔している。前記空間部３０ａは支持杆１１の外周径に合わせた径を有し、該空間部３０ａに支持杆１１を挿入して、支持杆１１の突起２３を前記孔３０ｂに嵌装することで支持杆１１と連結杆１２とを連結固定することができる。さらに、前記支持杆固定具３０の両外側からはリング状の係止体１３が突出しており、該係止体１３に肩ベルト４のスナップフック１７をかけることで肩ベルト４を連結杆１２に着脱可能に固定することができるのである。
【００２６】
なお、支持杆１１の両端部に突出された二つの突起２３ａ・２３ｂ（または、２３ｃ・２３ｄ）は一定距離離して配置される。本実施の形態のおいては突起２３ａ・２３ｂ間距離（以下、ピッチ）は２５ｍｍに設定しており、この距離に設定することで突起２３ａを指で押圧する際に、押し難さを感じさせない。また、ピッチを広げすぎた場合、過って突起がはずれた場合に連結杆１２の支持杆固定具３０が支持杆１１の長手側に落ち込んでしまう虞があるが、ピッチを一定距離離して配置していることでこのような虞も予防することができるのである。
【００２７】
このように支持杆１１と連結杆１２の連結部１５を構成したので、上部の突起２３ａ・２３ｂと下部の突起２３ｃ・２３ｄとは連動することがなく、連結部１５を分解する際には上下の内側の突起２３ａ・２３ｃを同時に押圧しなければ分解できないようにしている。このため、過って上側の突起２３ａもしくは下側の突起２３ｃを押圧してしまった場合にも、上側の突起２３ａを押圧した場合には下側の突起２３ｄが係合されており、下側の突起２３ｃを押圧した場合には上側の突起２３ｂが係合されているため、連結部１５の係合が解除されることはない。なお、前記突起２３ａ・２３ｂ・２３ｃ・２３ｄをそれぞれ色分けすることで押し間違いの防止を図ることもできる。
【００２８】
以上に説明した連結部１５の構成は二本の支持杆１１・１１と二本の連結杆１２・１２との連結部１５全てに適用しており、フレーム構造２を容易に連結・分解することが可能となるのである。
また、連結杆１２・１２に肩ベルト４を固定しているため、突起２３が支持杆固定具３０の孔３０ｂより外れてしまい、支持杆１１自体が外れてしまった場合にも、担架１は両側で支えることができ、ハンモック状態で支持することができる。このため、万一の場合においても、担架上に乗せた要介護者の安全性は保たれるのである。
【００２９】
以上のように構成される本発明の担架の使用法について説明する。
まず、要介護者を運搬する場合には、介護人は要介護者を抱えて担架上に乗せて弛ませた状態の寝台布３下部にお尻を位置させてＹ字状タスキを連結する。そして、介護人は連結杆の両端に取り付けられた肩ベルト４を肩にかけ、連結杆１２と支持杆１１に設けられた滑り止めテープ３７を握って持上げる。そして、搬送途中において、支持杆１１と連結杆１２との連結部１５が過って外れてしまった場合にも連結杆１２に肩ベルト４を取り付けているため担架上に乗せた要介護者は落ちることはない。極端にいえば支持杆１１が外れた状態であっても要介護者の運搬を可能としているのである。
また、要介護者を担架上からベッド等に降ろす場合には、左右片側の連結部１５・１５の連結を解除して片側の支持杆１１を寝台布３より外し、外した側より要介護者を転がすようにベッド上に移動させる。連結部１５・１５の解除は前述の如く、上下内側の突起２３ａ・２３ｃを同時に押圧して連結杆１２の孔より突起２３ｂ・２３ｄを外すものである。このように、要介護者を持上げることなく簡単に担架上から降ろすことができるのである。
【００３０】
次に、キャスター４０付の担架の実施例について説明する。
図９に示すように、本実施例においては上記において説明した担架１の下部側連結部１５・１５にキャスター４０・４０を設けたものである。キャスター４０は車輪４１と、担架本体と車輪４１とを連結する棒体４２とで構成しており、該キャスター４０を担架１の下部に設けることで平坦な場所では介護人一人で要介護者を運搬することが可能になるものである。
キャスター４０は担架１本体の下部側の連結杆１２に脱着可能、もしくは、折り畳み可能に取り付けられる。折り畳み式に収納可能とする場合には、連結杆１２とキャスター４０との連結部にストッパ等を設けて、担架本体側に折り畳んだ状態で保持できるように構成する。なお、車輪の数は限定されるものではないが、本実施例においては左右のバランスを考慮して二つの車輪で支持するようにしたものである。
【００３１】
また、以上に説明した担架は図１０に示すような収納バッグ５０内に収納される。
前記収納バッグ５０の長手側の上部両側には取手４６・４６を縫着しており、該取手４６・４６により持ち運びができるようにしている。また、収納バッグ５０の上面５０ａはファスナー４７によって開閉自在としている。ファスナー４７は収納バッグ５０の長手側に沿って左右に二本設けられており、二本のファスナー４７・４７は紐体４８によって繋がれており、該紐体４８を操作することで同時に二本のファスナー４７・４７を開閉できるようにしている。二本のファスナー４７・４７の一端４７ａと一端４７ａとを繋ぐ線上には切り込み５０ｂが設けられており、前記紐体４８をファスナー他端側へ引くことで左右のファスナー４７・４７が同時に開く構成としている。
つまり、このように収納バッグ５０を構成したので、収納バッグの上面側を短時間で大きく開口できるようになり、緊急を要する場合の利便性を向上することができるのである。
【００３２】
【発明の効果】
本発明は、以上のように構成したので、以下に示すような効果を奏する。
【００３３】
即ち、請求項１に示す如く、重病人、負傷者、身体障害者等の要介護者を運搬する担架であって、四本の杆体で枠状に構成されるフレーム構造と、該フレーム構造に弛ませた状態で保持した寝台布と、で構成したので、
二本の支持杆で支える従来の担架に比べ、二本の支持杆に連結杆を設けたので、バランスを改善できる。また、寝台布は要介護者が座れるように窪ませており、寝ている状態に比べて小スペースとなるため階段や狭い通路等において有効である。また、要介護者を担架上に乗せても、従来の担架のように内側に引っ張られることがなく安定した状態で移送することができる。
【００３４】
請求項２に示す如く、前記フレーム構造は、左右一対の支持杆と、該左右一対の支持杆の間に懸けられる前後一対の連結杆と、を連結してなるので、
二本の支持杆で支える従来の担架に比べ、二本の支持杆に連結杆を設けたので、バランスを改善できる。また、寝台布は要介護者が座れるように窪ませており、寝ている状態に比べて小スペースとなるため階段や狭い通路等において有効である。また、要介護者を担架上に乗せても、従来の担架のように内側に引っ張られることがなく安定した状態で移送することができる。
【００３５】
請求項３に示す如く、支持杆と連結杆との連結部を連結・解除可能に構成したので、
フレームが分解可能であり寝台布と分離できるので、担架を降ろしてフレームを分解して抜き取り、要介護者の下敷きになっている寝台布を引き抜けば要介護者を持上げることなく担架上から降ろすことができる。
つまり、介護人は要介護者の乗降作業を容易に行うことができる。
【００３６】
請求項４に示す如く、前記支持杆と連結杆との連結部は、支持杆の両端側上下に突出した進退可能な突起を、連結杆の両端側上下に貫通した孔に嵌合することで連結可能とし、上側の突起と下側の突起とはそれぞれ別体として機能する構成としたので、
支持杆と連結杆との連結部を容易に連結・解除できるようになる。また、過って一方の突起が孔より外れてしまった場合にも、他方の突起が孔に嵌合されているため連結が解除されることがない。
【００３７】
請求項５に示す如く、支持杆と連結杆に滑り止め握手部を設けたので、
介護人は担架を確実に保持できるようになる。また、介護人二人で要介護者を運搬することが可能であるが、支持杆にも滑り止め握手部を設けているため、広い通路等では介護人四人で運搬することもでき、介護人一人当たりの労力を軽減することができる。
【００３８】
請求項６に示す如く、連結杆の両端部からリング状のフックを設けて、該フックに着脱自在に肩ベルトを設けたので、
担架を確実に保持することができるとともに、過って連結部の係合が解除されて支持杆が外れてしまった場合にも、前後両側から肩ベルトでハンモック状態に支持することができるため、要介護者を落下させる可能性を大幅に減少することができる。また、介護人は肩で担架を支持できるため手の自由が利き、扉の開閉等、担架を降ろすことなく行うことができる。
【００３９】
請求項７に示す如く、前記寝台布に、上部側保持部と下部側保持部とに分割可能なＹ字状のタスキを着設したので、
担架上に乗せた要介護者を確実に保持して、運搬中に担架から落下することがない。
【００４０】
請求項８に示す如く、前記寝台布の頭部側に着脱自在な枕を設けたので、
必要に応じて着脱し、頭部を動かすことができない負傷者を担架上に乗せる場合には、首固定用枕等を取り付けることで頭部の位置を固定しておくことができる。
【００４１】
請求項９に示す如く、フレーム構造の下部側に折り畳み可能なキャスターを設けたので、
平坦な場所においては、一人の介護人で要介護者を運搬することができる。また、折り畳みが可能であるため、二人の介護人で持上げて運搬する際にはキャスターが邪魔になることはない。
【図面の簡単な説明】
【図１】本発明の一実施形態である担架の全体的な構成を示す斜視図。
【図２】同じく正面図。
【図３】同じく側面図。
【図４】同じく平面図。
【図５】別形状の枕の構成を示す斜視図。
【図６】支持杆の両端部の構成を示す平面、及び、側面図。
【図７】連結杆の両端部の構成を示す平面、及び、側面図。
【図８】支持杆の端部の内部構成を示す断面図。
【図９】キャスター付担架の構成を示す斜視図。
【図１０】収納ケースの構成を示す斜視図。
【符号の説明】
１  担架
２  フレーム構造
３  寝台布
４  肩ベルト
５  Ｙ字状タスキ
１１  支持杆
１２  連結杆
１３  リング状突出部
１５  連結部
３０ｂ  孔
２３  突起
３１  板バネ
３２  枕
４０  キャスター
【図１】
2004267291.tif 000003
【図２】
2004267291.tif 000004
【図３】
2004267291.tif 000005
【図４】
2004267291.tif 000006
【図５】
2004267291.tif 000007
【図６】
2004267291.tif 000008
【図７】
2004267291.tif 000009
【図８】
2004267291.tif 000010
【図９】
2004267291.tif 000011
【図１０】
2004267291.tif 000012